(57)【要約】      （修正有）【課題】車両の電力状態を示す信号を車両から電力供給デバイスを提供する。【解決手段】車両１２内の電力供給デバイス１０は、第１の出力電圧または第１の出力電圧よりも小さい第２の出力電圧を生成するＤＣ／ＤＣ電力コンバータ１４と、ＤＣ／ＤＣ電力コンバータと通信するデバイスコントローラ１６とを含む。デバイスコントローラ１６は、スタート／ストップコントローラ２０から走行信号を受け取ったとき、もしくは入力電圧が電圧閾値より大きいことを検出したとき、第１の出力電圧を出力するようＤＣ／ＤＣ電力コンバータ１４に指令する、または、ストップ信号を受け取ったとき、もしくは入力電圧が電圧閾値より小さいことを検出したとき、第２の出力電圧を出力するようＤＣ／ＤＣ電力コンバータ１４に指令する。【選択図】図１
2019198218.tif 000002
【特許請求の範囲】
【請求項１】
車両（１２）内のスタート／ストップコントローラ（２０）とインターフェースするように構成された電力供給デバイス（１０）であって、
入力電圧を受け取り、第１の出力電圧、または前記第１の出力電圧よりも小さい第２の出力電圧を生成するように構成されたＤＣ／ＤＣ電力コンバータと、
前記ＤＣ／ＤＣ電力コンバータおよび前記スタート／ストップコントローラ（２０）と通信するデバイスコントローラ（１６）とを備えており、
前記デバイスコントローラ（１６）は、１つまたは複数のプロセッサおよびメモリを有し、
前記メモリは、前記スタート／ストップコントローラ（２０）からの走行信号を前記デバイスコントローラ（１６）が受け取ったことに応じて、前記第１の出力電圧を出力するよう前記ＤＣ／ＤＣ電力コンバータに指令することを、前記デバイスコントローラ（１６）に行わせる命令を含み、
前記メモリは、さらに、前記スタート／ストップコントローラ（２０）からのストップ信号を前記デバイスコントローラ（１６）が受け取ったことに応じて、前記第２の出力電圧を出力するよう前記ＤＣ／ＤＣ電力コンバータに指令することを、前記デバイスコントローラ（１６）に行わせる命令を含む、電力供給デバイス（１０）。
【請求項２】
請求項１に記載の電力供給デバイス（１０）において、
前記スタート／ストップコントローラ（２０）が、コントローラエリアネットワーク（ＣＡＮ）通信バスによって、前記デバイスコントローラ（１６）に接続される、電力供給デバイス（１０）。
【請求項３】
請求項１に記載の電力供給デバイス（１０）において、
前記スタート／ストップコントローラ（２０）が、ローカル相互接続ネットワーク（ＬＩＮ）通信バスによって、前記デバイスコントローラ（１６）に接続される、電力供給デバイス（１０）。
【請求項４】
請求項１に記載の電力供給デバイス（１０）において、
前記電力供給デバイス（１０）は、前記スタート／ストップコントローラ（２０）と通信するユニバーサルシリアルバス（ＵＳＢ）ハブ（２４）と通信するＵＳＢポート内に配置されており、
前記メモリは、さらに、前記スタート／ストップコントローラ（２０）が前記走行信号を送信したことを示す第１のＵＳＢ信号を、前記デバイスコントローラ（１６）が前記ＵＳＢハブ（２４）から受け取ったことに応じて、前記第１の出力電圧を出力するよう前記ＤＣ／ＤＣ電力コンバータに指令することを、前記デバイスコントローラ（１６）に行わせる命令を含み、
前記メモリは、さらに、前記スタート／ストップコントローラ（２０）がストップ信号を送信したことを示す第２の信号を、前記デバイスコントローラ（１６）が前記ＵＳＢハブ（２４）から受け取ったことに応じて、前記第２の出力電圧を出力するよう前記ＤＣ／ＤＣ電力コンバータに指令することを、前記デバイスコントローラ（１６）に行わせる命令を含む、電力供給デバイス（１０）。
【請求項５】
請求項１に記載の電力供給デバイス（１０）において、
前記第１の出力電圧の最大値が約２０ボルトであり、前記第２の出力電圧の最小値が約３．２ボルトである、電力供給デバイス（１０）。
【請求項６】
デバイスコントローラ（１６）およびＤＣ／ＤＣ電力コンバータを有し、車両（１２）内のスタート／ストップコントローラ（２０）と通信する電力供給デバイス（１０）を操作する方法（１００）であって、
前記スタート／ストップコントローラ（２０）から信号を受け取るステップと、
前記信号が走行信号であるかストップ信号であるかを、前記デバイスコントローラ（１６）によって判定するステップと、
前記信号が前記走行信号であると前記デバイスコントローラ（１６）が判定したことに応じて、前記ＤＣ／ＤＣ電力コンバータによって第１の出力電圧を生成するステップと、
前記信号が前記ストップ信号であると前記デバイスコントローラ（１６）が判定したことに応じて、前記ＤＣ／ＤＣ電力コンバータによって、第１の出力電圧よりも小さい第２の出力電圧を生成するステップと
を含む方法。
【請求項７】
請求項６に記載の方法（１００）において、
前記第１の出力電圧の最大値が約２０ボルトであり、前記第２の出力電圧の最小値が約３．２ボルトである、方法。
【請求項８】
電力供給デバイス（１０）であって、
入力電圧を受け取り、第１の出力電圧、または前記第１の出力電圧よりも小さい第２の出力電圧を生成するＤＣ／ＤＣ電力コンバータと、
前記ＤＣ／ＤＣ電力コンバータと通信するデバイスコントローラ（１６）とを備えており、
前記デバイスコントローラ（１６）は、１つまたは複数のプロセッサおよびメモリを有し、
前記メモリは、
前記入力電圧が閾値電圧以上であるときに、前記第１の出力電圧を出力するよう前記ＤＣ／ＤＣ電力コンバータに指令することを、前記デバイスコントローラ（１６）に行わせる命令と、
前記入力電圧が前記閾値電圧より小さいときに、前記第２の出力電圧を出力するよう前記ＤＣ／ＤＣ電力コンバータに指令することを、前記デバイスコントローラ（１６）に行わせる命令とを含む、電力供給デバイス（１０）。
【請求項９】
請求項８に記載の電力供給デバイス（１０）において、
前記電力供給デバイス（１０）が、さらに、前記デバイスコントローラ（１６）と通信する入力電圧検出回路を備えており、
前記メモリは、前記入力電圧が前記閾値電圧より小さいと前記入力電圧検出回路が判定したとき、前記第２の出力電圧を出力するよう前記ＤＣ／ＤＣ電力コンバータに指令することを、前記デバイスコントローラ（１６）に行わせる追加の命令を含む、電力供給デバイス（１０）。
【請求項１０】
請求項８に記載の電力供給デバイス（１０）において、
前記第１の出力電圧の最大値が約２０ボルトであり、前記第２の出力電圧の最小値が約３．２ボルトである、電力供給デバイス（１０）。
【発明の詳細な説明】
【技術分野】
【０００１】
関連出願の相互参照
[0001]本願は、２０１８年４月１７日に出願された米国特許出願第１５／９５４，８５１号、および２０１８年６月１２日に出願された米国特許出願第１６／００６，４６３号の優先権を主張し、これらそれぞれの開示全体が、参照により本明細書に組み込まれる。
【０００２】
[0002]本発明は一般に、電力供給デバイス、および電力供給デバイスを操作する方法に関する。
【先行技術文献】
【非特許文献】
【０００３】
【非特許文献１】ＵＳＢパワーデリバリ規格３．０
【発明の概要】
【０００４】
[0003]ここで例として添付図面を参照しながら、本発明が説明される。
【図面の簡単な説明】
【０００５】
【図１】[0004]一実施形態による電力供給デバイスの概略図である。
【図２】[0005]一実施形態による図１の電力供給デバイスを操作する方法のフロー図である。
【発明を実施するための形態】
【０００６】
[0006]添付図面に例が示されている実施形態を、ここで詳細に参照する。以下の詳細な説明では、記載される様々な実施形態を完全に理解するために、多くの具体的な詳細事項が述べられる。しかし、記載される様々な実施形態はこれらの具体的な詳細事項がなくても実施可能であることが、当業者には明らかであろう。他の例、よく知られた方法、手順、構成要素、回路、およびネットワークは、実施形態の態様を不必要にあいまいにすることがないように、記載されていない。
【０００７】
[0007]ユニバーサルシリアルバス（ＵＳＢ）は、制限された電力を供給することができるデータインターフェースから、データインターフェースを用いた電力の主要な供給源へと進化してきた。今日、多くのデバイスが、ラップトップ、車、航空機、またはさらには壁のソケットに組み込まれたＵＳＢポートから、電力を充電または取得する。ＵＳＢは、携帯電話、デジタルメディアプレーヤ、および／または他の携帯型デバイスなど多くのコンピュータデバイス用の広く普及した電力ソケットになった。ユーザは、データに関する自らの必要性を満たすためだけでなく、「従来の」ＵＳＢ機能を実行するために、簡単に、多くの場合ドライバをロードする必要なく、自らのデバイスに電力を供給する、またはそれらを充電するためにＵＳＢを利用する。
【０００８】
[0008]ＵＳＢパワーデリバリ（ＰＤ）規格は、単一のケーブルを介してデータとともに、例えばバッテリ充電のためにより柔軟な電力送達を実現することによって、ＵＳＢの機能性を最大限にすることができる。その目的は、既存のＵＳＢエコシステムを用いて動作しこのエコシステムを拡張の土台にすることである。ＵＳＢパワーデリバリ規格３．０は、ＵＳＢインプリメンターズフォーラム（Ｉｍｐｌｅｍｅｎｔｅｒ’ｓ  Ｆｏｒｕｍ，Ｉｎｃ）によって発行され、参照により本明細書に組み込まれる。
【０００９】
[0009]厳しい燃費基準および排気基準を満たすために、自動車の相手先ブランド製造業者（ＯＥＭ）は、内燃機関を自動的に停止および再始動させてエンジンがアイドリングで費やす時間量を短縮し、それにより車両の燃料消費および排気を低減させるスタート／ストップ技術を、自社の車両に組み込んでいる。
【００１０】
[0010]ＯＥＭは、車両のバッテリ電圧を一時的に６ボルトまで落としてウォームスタート中の車両のクランキングをシミュレートする「スタート／ストップ」過渡中に、消費者ＵＳＢデバイスに電力を供給し続けることを求める要件を、車両のバッテリによって電力供給されるＵＳＢ  ＰＤデバイスに課してきた。この過渡中、ＵＳＢ  ＰＤデバイスは、消費者体験のために中断することなく機能し続けることが期待される。過渡中に一貫した電力レベルを供給することによって、ＰＤデバイスの配線、コネクタ、および／または回路保護デバイス、例えばヒューズ、回路遮断器の電流限界を超え得るレベルまで、ＰＤデバイスへの電流入力が上昇し、それにより、例えばヒューズが開き、それによりＰＤデバイスのシャットダウンが生じるなど、消費者体験の中断がもたらされることになる。
【００１１】
[0011]いくつかの相手先ブランド車両製造業者（ＯＥＭ）は、車両の電力システムによって供給されている電力を監視し、供給される電力が電力閾値を超える場合にはスタート／ストップコントローラを抑制する。
【００１２】
[0012]提案される革新的な解決策は、車両の電力状態を示す信号を車両からＵＳＢ  ＰＤデバイスに提供することである。通常の車両走行モードの間、車両の電圧は典型的には１２〜１４ボルトの範囲にあると見込まれ、降圧／昇圧ＤＣ／ＤＣコンバータは、「高速充電」モードで消費者充電デバイスによって使用されることが可能な車両電圧よりも高い電圧を有する高い電圧出力を生成することができる。車両がストップ／スタートモードに入ると、または入ろうとすると、すなわち、車両が移動を停止し自動的にエンジンを切ると、モードの変化が信号によって車両からＵＳＢ  ＰＤデバイスのコントローラに通信され、次いでＵＳＢ  ＰＤデバイスは、消費者デバイスとの充電接触を再ネゴシエーションして、「通常の」充電動作を行えるように低い出力電圧を提供する。その後、車がクランクサイクルの過渡に置かれたとき、降圧コンバータは、電流限界を超えることなく、また充電セッションを妨げることなく、低い出力電圧を維持することができる。エンジンがスタートして走行モードに戻った後、ＵＳＢ  ＰＤデバイスは、別の信号によって再び通知を受け、高い電圧出力に戻る。
【００１３】
[0013]図１は、電力供給デバイス、例えば、以下でＰＤデバイス１０と呼ばれるユニバーサルシリアルバス（ＵＳＢ）電力送達（ＰＤ）デバイスを示しており、ＰＤデバイス１０は、モータ車両１２で使用されるように設計されている。ＰＤデバイス１０は、車両１２においてＵＳＢ対応デバイス（図示せず）のバッテリ充電をサポートするために使用することができる。ＰＤデバイス１０は、以下でＤＣコンバータ１４と呼ばれる昇圧／降圧ＤＣ／ＤＣ電力コンバータを含んでおり、このＤＣコンバータ１４は、車両の電気システムから入力電圧を受け取る。本発明の他の実施形態では、ＰＤデバイス１０は、降圧のみのＤＣ／ＤＣコンバータであってもよい。出力電圧は、少なくとも２つの異なる電圧のうちの１つ、すなわち高い電圧、例えば速いＵＳＢ充電速度をサポートするための２０ボルト出力、または低い電圧、例えば通常のＵＳＢ充電速度をサポートするための５ボルト出力とすることができる。
【００１４】
[0014]ＰＤデバイス１０は、ＤＣコンバータ１４と通信するデバイスコントローラ１６も含む。デバイスコントローラ１６は、１つまたは複数のプロセッサおよびメモリを有する。プロセッサは、マイクロプロセッサ、もしくは特定用途向け集積回路（ＡＳＩＣ）であってもよく、または個々の論理回路およびタイミング回路（図示せず）から構築されてもよい。プロセッサをプログラムするソフトウェア命令は、不揮発性（ＮＶ）メモリデバイス（図示せず）に記憶されてもよい。ＮＶメモリデバイスは、マイクロプロセッサもしくはＡＳＩＣに組み込まれてもよく、または別個のデバイスであってもよい。使用することができるＮＶメモリの種類の非限定的な例は、電気的に消去可能でプログラム可能な読取り専用メモリ（ＥＥＰＲＯＭ）、マスク読取り専用メモリ（ＲＯＭ）、およびフラッシュメモリを含む。
【００１５】
[0015]また、ＰＤデバイス１０は、コントローラエリアネットワーク（ＣＡＮ）トランシーバ、ローカル相互接続ネットワーク（ＬＩＮ）トランシーバ、ＵＳＢトランシーバ、および／または入力電圧検出回路、例えばアナログ／デジタルコンバータ回路など、車両１２内の他のデバイスとの電気通信をＰＤデバイス１０が確立できるようにするためのインターフェース回路１８を含む。
【００１６】
[0016]ＰＤデバイス１０は、ＣＡＮトランシーバまたはＬＩＮトランシーバを介して、スタート／ストップコントローラ２０と通信する。メモリは、さらに、スタート／ストップコントローラ２０からの走行信号をデバイスコントローラ１６が受け取ったことに応じて、高い出力電圧を出力するようＤＣコンバータ１４に指令することを、デバイスコントローラ１６に行わせる命令を含む。メモリは、さらに、スタート／ストップコントローラ２０からのストップ信号をデバイスコントローラ１６が受け取ったことに応じて、低い出力電圧を出力するようＤＣコンバータ１４に指令することを、デバイスコントローラ１６に行わせる命令を含む。走行信号は、ＩＣエンジン２２が走行中であることを示し、したがって、入力電圧は閾値電圧以上に維持されることになる。ストップ信号は、ＩＣエンジン２２が走行していないこと、および入力電圧が、例えばクランキング過渡中に、閾値電圧未満に落ちるかもしれないことを示す。
【００１７】
[0017]別の実施形態では、ＰＤデバイス１０は、スタート／ストップコントローラ２０と通信するＵＳＢハブ２４と通信するＵＳＢポート内に配設される。メモリは、スタート／ストップコントローラ２０からの走行信号をＵＳＢハブ２４が受け取ったことを示す第１のＵＳＢ信号を、デバイスコントローラ１６がＵＳＢハブ２４から受け取ったことに応じて、高い出力電圧を出力するようＤＣコンバータ１４に指令することを、デバイスコントローラ１６に行わせる命令と、スタート／ストップコントローラ２０からのストップ信号をＵＳＢハブ２４が受け取ったことを示す第２のＵＳＢ信号を、デバイスコントローラ１６がＵＳＢハブ２４から受け取ったことに応じて、低い出力電圧を出力するようＤＣコンバータ１４に指令することを、デバイスコントローラ１６に行わせる命令とを含む。
【００１８】
[0018]さらに別の実施形態では、ＰＤデバイス１０は、車両の電力供給部（例えば車両のバッテリ（図示せず））と、デバイスコントローラ１６とに通信する入力電圧検出回路を含む。入力電圧検出回路は、車両のバッテリからＰＤデバイス１０への入力電圧を判定し、この情報をデバイスコントローラ１６に送信するように構成される。メモリは、入力電圧が閾値電圧、例えば９．５または１０ボルトより大きいと入力電圧検出回路が判定したとき、高い出力電圧を出力するようＤＣコンバータ１４に指令することを、デバイスコントローラ１６に行わせる追加の命令と、入力電圧が閾値電圧より小さいと入力電圧検出回路が判定したとき、低い出力電圧を出力するようＤＣコンバータ１４に指令することを、デバイスコントローラ１６に行わせる追加の命令とを含む。
【００１９】
[0019]図２は、ＤＣコンバータ１４およびデバイスコントローラ１６を有し、スタート／ストップコントローラ２０と通信するＰＤデバイス１０を操作する方法１００を示す。方法１００は以下のステップを含む。
【００２０】
[0020]スタート／ストップコントローラから信号を受け取るステップ１０２は、ＰＤデバイス１０がスタート／ストップコントローラ２０から信号を受け取るステップを含む。
[0021]信号が走行信号であるかストップ信号であるかを判定するステップ１０４は、信号が走行信号であるかストップ信号であるかを、デバイスコントローラ１６が判定するステップを含む。
【００２１】
[0022]第１の出力電圧を生成するステップ１０６は、信号が走行信号であるとデバイスコントローラ１６が判定したことに応じて、ＰＤデバイス１０が、ＤＣコンバータ１４によって、高い出力電圧を生成するステップを含む。
【００２２】
[0023]第２の出力電圧を生成するステップ１０８は、信号がストップ信号であるとデバイスコントローラ１６が判定したことに応じて、ＰＤデバイス１０が、ＤＣコンバータ１４によって、第１の出力電圧よりも小さい第２の出力電圧を生成するステップを含む。
【００２３】
[0024]特定の実施形態によれば、ＰＤデバイス１０が、１００ワット、すなわち出力電圧が２０ボルトかつ電流容量が５アンペアで、消費者デバイス（図示せず）とのＰＤコントラクト（パワーデリバリのための契約）をネゴシエーション（取り決め）済みであり、スタート／ストップ事象が車両１２において発生した場合、すなわち、スタート／ストップコントローラ２０がストップ信号を送った場合、ＰＤデバイス１０は、電力ネゴシエーションを１００ワットから１５ワットに、すなわち出力電圧を５ボルトに電流容量を３アンペアに変え、それにより車両１２によってＰＤデバイス１０に供給することが必要な電力を低減し、ＰＤデバイス１０によって引き出される電流を低減し、回路電流保護デバイスの限界内に留まる。ＵＳＢ  ＰＤの仕様ごとに、消費者デバイスは新しい１５ワット性能を選択することになる。ストップ／スタート事象が終わると、すなわち、スタート／ストップコントローラ２０が走行信号を送ると、ＰＤデバイス１０は、１００ワット性能を再ネゴシエーションし、消費者デバイスは必要な最も高い電力を選択することになる。
【００２４】
[0025]したがって、電力供給デバイス、例えばＵＳＢ  ＰＤデバイス１０、およびこのようなデバイスを操作する方法１００が提供される。このデバイスは、車両１２のスタート／ストップ事象中に、ＰＤデバイス１０から消費者ＵＳＢデバイスに電力を途切れずに供給することができるというＵＳＢ  ＰＤデバイス１０の利益を提供する。またこのＵＳＢ  ＰＤデバイス１０は、ＵＳＢ消費者デバイスに供給される電力を中断するのではなく低減することによって、例えば供給される電力を１００ワットから１５ワットに低減することによって、車両の電気システムからの電気負荷を低減し、または「制限」し、それによりスタート／ストップコントローラ２０がストップ／ストップモードに入ることが可能なり得るという利点も提供する。
【００２５】
[0026]本発明は、その好ましい実施形態に関して記載されたが、そのように限定されるものではなく、むしろ以下の特許請求の範囲に述べられた範囲にのみ限定されるものである。例えば、上に記載の実施形態（および／またはその態様）は、互いに組み合わせて使用されてもよい。それに加えて、本発明の範囲から逸脱することなく、本発明の教示に対して特定の状況または材料を構成するように、多くの修正形態が作られてもよい。本明細書に記載の様々な構成要素の寸法、材料の種類、向き、ならびに様々な構成要素の数および位置は、特定の実施形態のパラメータを定義するものであり、決して限定するものではなく、単なるプロトタイプの実施形態に過ぎない。
【００２６】
[0027]上の記載を精査すれば、特許請求の範囲に記載の趣旨および範囲内で、多くの他の実施形態および修正形態が当業者には明らかであろう。したがって、本発明の範囲は、以下の特許請求の範囲とともに、これらの特許請求の範囲が権利付与される等価物の全範囲を参照して、判定されるべきである。
【００２７】
[0028]本明細書で使用されるとき「１つまたは複数の」は、１つの要素によって実行される１つの機能、２つ以上の要素によって、例えば分散された状態で、実行される１つの機能、１つの要素によって実行されるいくつかの機能、いくつかの要素によって実行されるいくつかの機能、またはこれらの任意の組合せを含む。
【００２８】
[0029]また、第１の、第２のなどの用語は、いくつかの事例では、様々な要素を記載するために本明細書において使用されるが、これらの要素がこれらの用語によって限定されるべきではないことも理解されよう。これらの用語は、１つの要素を別の要素から区別するためだけに使用される。例えば、記載された様々な実施形態の範囲から逸脱することなく、第１の接触部が第２の接触部と呼ばれてもよく、同様に、第２の接触部が第１の接触部と呼ばれてもよい。第１の接触部および第２の接触部は、両方とも接触部であるが、同じ接触部ではない。
【００２９】
[0030]本明細書に記載された様々な実施形態の説明において使用される用語は、単に特定の実施形態を記載することを目的としたものであり、限定するものではない。記載された様々な実施形態の説明および添付の特許請求の範囲で使用されるとき、単数形「ａ」、「ａｎ」、および「ｔｈｅ」は、文脈上別段に明記されていないかぎり、複数形も含むものとする。また、本明細書で使用されるとき、「および／または」という用語は、列挙される関連項目のうちの１つまたは複数の項目のありとあらゆる可能な組合せを指し、これらを包含することが理解される。本明細書で使用されるとき、「含む（ｉｎｃｌｕｄｅｓ）」、「含む（ｉｎｃｌｕｄｉｎｇ）」、「備える（ｃｏｍｐｒｉｓｅｓ）」、および／または「備える（ｃｏｍｐｒｉｓｉｎｇ）」という用語は、述べられた特徴、整数、ステップ、動作、要素、および／または構成要素の存在を特定するが、他の特徴、整数、ステップ、動作、要素、構成要素、および／またはそれらのグループの存在を排除しないことがさらに理解される。
【００３０】
[0031]本明細書で使用されるとき、「〜の場合（ｉｆ）」という用語は、任意選択で文脈に応じて、「〜するとき」、または「〜すると」、または「判定したことに応じて」、または「検出したことに応じて」を意味すると解釈される。同様に、「〜と判定された場合」、または「（述べられた条件または事象が）検出された場合」というフレーズは、任意選択で文脈に応じて、「判定すると」、または「判定したことに応じて」、または「（述べられた条件または事象を）検出すると」、または「（述べられた条件または事象を）検出したことに応じて」を意味すると解釈される。
【００３１】
[0032]それに加えて、順序または向きの用語が、本明細書で使用されることがあるが、これらの要素はこれらの用語によって限定されるべきではない。順序または向きのすべての用語は、別段の記載がないかぎり、１つの要素を別の要素から区別する目的で使用されており、別段の記載がないかぎり、いかなる特定の順番、動作の順番、方向、または向きも指定しない。
［番号１］
車両（１２）内のスタート／ストップコントローラ（２０）とインターフェースするように構成された電力供給デバイス（１０）であって、
入力電圧を受け取り、第１の出力電圧、または前記第１の出力電圧よりも小さい第２の出力電圧を生成するように構成されたＤＣ／ＤＣ電力コンバータと、
前記ＤＣ／ＤＣ電力コンバータおよび前記スタート／ストップコントローラ（２０）と通信するデバイスコントローラ（１６）とを備えており、
前記デバイスコントローラ（１６）は、１つまたは複数のプロセッサおよびメモリを有し、
前記メモリは、前記スタート／ストップコントローラ（２０）からの走行信号を前記デバイスコントローラ（１６）が受け取ったことに応じて、前記第１の出力電圧を出力するよう前記ＤＣ／ＤＣ電力コンバータに指令することを、前記デバイスコントローラ（１６）に行わせる命令を含み、
前記メモリは、さらに、前記スタート／ストップコントローラ（２０）からのストップ信号を前記デバイスコントローラ（１６）が受け取ったことに応じて、前記第２の出力電圧を出力するよう前記ＤＣ／ＤＣ電力コンバータに指令することを、前記デバイスコントローラ（１６）に行わせる命令を含む、電力供給デバイス（１０）。
［番号２］
番号１に記載の電力供給デバイス（１０）において、
前記スタート／ストップコントローラ（２０）が、コントローラエリアネットワーク（ＣＡＮ）通信バスによって、前記デバイスコントローラ（１６）に接続される、電力供給デバイス（１０）。
［番号３］
番号１または２に記載の電力供給デバイス（１０）において、
前記スタート／ストップコントローラ（２０）が、ローカル相互接続ネットワーク（ＬＩＮ）通信バスによって、前記デバイスコントローラ（１６）に接続される、電力供給デバイス（１０）。
［番号４］
番号１から３のいずれか一項に記載の電力供給デバイス（１０）において、
前記電力供給デバイス（１０）は、前記スタート／ストップコントローラ（２０）と通信するユニバーサルシリアルバス（ＵＳＢ）ハブ（２４）と通信するＵＳＢポート内に配置されており、
前記メモリは、さらに、前記スタート／ストップコントローラ（２０）が前記走行信号を送信したことを示す第１のＵＳＢ信号を、前記デバイスコントローラ（１６）が前記ＵＳＢハブ（２４）から受け取ったことに応じて、前記第１の出力電圧を出力するよう前記ＤＣ／ＤＣ電力コンバータに指令することを、前記デバイスコントローラ（１６）に行わせる命令を含み、
前記メモリは、さらに、前記スタート／ストップコントローラ（２０）がストップ信号を送信したことを示す第２の信号を、前記デバイスコントローラ（１６）が前記ＵＳＢハブ（２４）から受け取ったことに応じて、前記第２の出力電圧を出力するよう前記ＤＣ／ＤＣ電力コンバータに指令することを、前記デバイスコントローラ（１６）に行わせる命令を含む、電力供給デバイス（１０）。
［番号５］
番号１から４のいずれか一項に記載の電力供給デバイス（１０）において、
前記第１の出力電圧の最大値が約２０ボルトであり、前記第２の出力電圧の最小値が約３．２ボルトである、電力供給デバイス（１０）。
［番号６］
デバイスコントローラ（１６）およびＤＣ／ＤＣ電力コンバータを有し、車両（１２）内のスタート／ストップコントローラ（２０）と通信する電力供給デバイス（１０）を操作する方法（１００）であって、
前記スタート／ストップコントローラ（２０）から信号を受け取るステップと、
前記信号が走行信号であるかストップ信号であるかを、前記デバイスコントローラ（１６）によって判定するステップと、
前記信号が前記走行信号であると前記デバイスコントローラ（１６）が判定したことに応じて、前記ＤＣ／ＤＣ電力コンバータによって第１の出力電圧を生成するステップと、
前記信号が前記ストップ信号であると前記デバイスコントローラ（１６）が判定したことに応じて、前記ＤＣ／ＤＣ電力コンバータによって、第１の出力電圧よりも小さい第２の出力電圧を生成するステップと
を含む方法。
［番号７］
番号６に記載の方法（１００）において、前記第１の出力電圧の最大値が約２０ボルトであり、前記第２の出力電圧の最小値が約３．２ボルトである、方法。
［番号８］
電力供給デバイス（１０）であって、
入力電圧を受け取り、第１の出力電圧、または前記第１の出力電圧よりも小さい第２の出力電圧を生成するＤＣ／ＤＣ電力コンバータと、
前記ＤＣ／ＤＣ電力コンバータと通信するデバイスコントローラ（１６）とを備えており、
前記デバイスコントローラ（１６）は、１つまたは複数のプロセッサおよびメモリを有し、
前記メモリは、
前記入力電圧が閾値電圧以上であるときに、前記第１の出力電圧を出力するよう前記ＤＣ／ＤＣ電力コンバータに指令することを、前記デバイスコントローラ（１６）に行わせる命令と、
前記入力電圧が前記閾値電圧より小さいときに、前記第２の出力電圧を出力するよう前記ＤＣ／ＤＣ電力コンバータに指令することを、前記デバイスコントローラ（１６）に行わせる命令とを含む、電力供給デバイス（１０）。
［番号９］
番号８に記載の電力供給デバイス（１０）において、
前記電力供給デバイス（１０）が、さらに、前記デバイスコントローラ（１６）と通信する入力電圧検出回路を備えており、
前記メモリは、前記入力電圧が前記閾値電圧より小さいと前記入力電圧検出回路が判定したとき、前記第２の出力電圧を出力するよう前記ＤＣ／ＤＣ電力コンバータに指令することを、前記デバイスコントローラ（１６）に行わせる追加の命令を含む、電力供給デバイス（１０）。
［番号１０］
番号８または９に記載の電力供給デバイス（１０）において、
前記第１の出力電圧の最大値が約２０ボルトであり、前記第２の出力電圧の最小値が約３．２ボルトである、電力供給デバイス（１０）。
【符号の説明】
【００３２】
１０  電力供給デバイス、ＰＤデバイス、ＵＳＢ  ＰＤデバイス
１２  車両
１４  ＤＣコンバータ
１６  デバイスコントローラ
１８  インターフェース回路
２０  スタート／ストップコントローラ
２２  ＩＣエンジン
２４  ＵＳＢハブ
【図１】
2019198218.tif 000003
【図２】
2019198218.tif 000004
【外国語明細書】
2019198218000001.pdf